(57)【要約】【課題】丁番部材を強固に締結でき、レンジフードからの伝熱を防止及び低減することができる吊戸棚を提供する。【解決手段】前面開口とされた箱型の戸棚本体２と、該前面を閉塞する扉体３とを備えレンジフード１１に隣接して設置される吊戸棚１であって、前記戸棚本体の前記レンジフード隣接側の側板２２は、木質材料からなる板体２０と、該板体の外面２０ｂ側に積層して設けられる不燃材料からなる不燃板２１とよりなり、前記扉体は、前記板体の内面２０ｃ側に固定具６で取り付けられた丁番部材５によって開閉自在とされ、前記不燃板には、前記板体を貫通する前記固定具の端部が納まるように形成された凹所２１ａが設けられていることを特徴とする。【選択図】図１
2015029670.tif 000002
【特許請求の範囲】
【請求項１】
前面開口とされた箱型の戸棚本体と、該前面を閉塞する扉体とを備えレンジフードに隣接して設置される吊戸棚であって、
前記戸棚本体の前記レンジフード隣接側の側板は、木質材料からなる板体と、該板体の外面側に積層して設けられる不燃材料からなる不燃板とよりなり、前記扉体は、前記板体の内面側に固定具で取り付けられた丁番部材によって開閉自在とされ、前記不燃板には、前記板体を貫通する前記固定具の端部が納まるように形成された凹所が設けられていることを特徴とする吊戸棚。
【請求項２】
請求項１において、
前記固定具は、取付ねじとナット部材とよりなり、
前記凹所側から前記不燃板を貫いて前記ナット部材を埋設させ、前記取付ねじを前記板体の内面側から前記ナット部材に向けて挿入し螺合させ、前記丁番部材、前記板体及び前記不燃板を前記固定具によって締結することを特徴とする吊戸棚。
【請求項３】
請求項１において、
前記固定具は、前記丁番部材に形成された雄ねじ部に螺合される取付ねじが用いられ、前記取付ねじを前記凹所側から前記雄ねじ部に向けて挿入し螺合させ、前記丁番部材、前記板体及び前記不燃板を前記固定具によって締結することを特徴とする吊戸棚。
【請求項４】
請求項１〜請求項３のいずれか１項において、
前記凹所内には、断熱性を有したカバー部材が埋設されることを特徴とする吊戸棚。
【発明の詳細な説明】
【技術分野】
【０００１】
本発明は、レンジフードに隣接して設置される吊戸棚に関する。
【背景技術】
【０００２】
従来より、レンジフードに隣接して吊戸棚を設置する場合、消防法等の規制によりレンジフードと吊戸棚との距離を所定の距離以上離して設置するか、もしくは吊戸棚の可燃性の部分を所定寸法以上の厚みを有した特定不燃材で被覆することが求められる。
例えば下記特許文献１には吊戸棚の側板を不燃材で形成したものが開示されている。
しかしながらここに記載されている珪酸カルシウム板やグラスウール板等の不燃材は比較的柔らかい材質であるため、これを側板に使用するとその側板側に扉体を支持する丁番部材を取り付けることが難しい。よって、レンジフード隣接側の側板を扉体の吊元（扉体の支持側）とすることが丁番部材の側板への締結力の観点から問題となる。
【先行技術文献】
【特許文献】
【０００３】
【特許文献１】実開平０３−１２９６７９号公報
【発明の概要】
【発明が解決しようとする課題】
【０００４】
そこでレンジフード隣接側の側板を吊元にしない吊戸棚もみられるが、この場合は、吊戸棚を両開き構造にできない。また側板を不燃材と中密度繊維板（ＭＤＦ）等の板体とで構成することも考えられるが、この場合は、丁番部材を強固に取り付けるため、板体に厚みを持たせる必要が生じ、他方側の側板と部材の共通化が図れない。また側板に厚みがでるとレンジフードと閉めた扉体との間にできる隙間が目立ってしまう。
下記特許文献１では、側板に貫通孔が形成された凹部を形成し、そこに雌ねじ筒が設けられた金属製の板材を嵌め込み、この板材を介して雌ねじ筒に取付ねじを螺合していき、丁番部材を固定する構造としている。しかしこの場合は、丁番部材を固定する板材が金属製であるので、側板にレンジフードからの熱が伝わってしまうことが考えられる。
【０００５】
本発明は、上記実情に鑑みてなされたものであり、丁番部材を強固に締結でき、レンジフードからの伝熱を防止及び低減することができる吊戸棚を提供することを目的としている。
【課題を解決するための手段】
【０００６】
上記目的を達成するために、本発明に係る吊戸棚は、前面開口とされた箱型の戸棚本体と、該前面を閉塞する扉体とを備えレンジフードに隣接して設置される吊戸棚であって、前記戸棚本体の前記レンジフード隣接側の側板は、木質材料からなる板体と、該板体の外面側に積層して設けられる不燃材料からなる不燃板とよりなり、前記扉体は、前記板体の内面側に固定具で取り付けられた丁番部材によって開閉自在とされ、前記不燃板には、前記板体を貫通する前記固定具の端部が納まるように形成された凹所が設けられていることを特徴とする。
【０００７】
本発明において、前記固定具は、取付ねじとナット部材とよりなり、前記凹所側から前記不燃板を貫いて前記ナット部材を埋設させ、前記取付ねじを前記板体の内面側から前記ナット部材に向けて挿入し螺合させ、前記丁番部材、前記板体及び前記不燃板を前記固定具によって締結するようにしてもよい。
本発明において、前記固定具は、前記丁番部材に形成された雄ねじ部に螺合される取付ねじが用いられ、前記取付ねじを前記凹所側から前記雄ねじ部に向けて挿入し螺合させ、前記丁番部材、前記板体及び前記不燃板を前記固定具によって締結するようにしてもよい。
本発明において、前記凹所内には、断熱性を有したカバー部材が埋設されるようにしてもよい。
【発明の効果】
【０００８】
本発明に係る吊戸棚は、上述のような構成としたことで、丁番部材を強固に締結でき、レンジフードからの伝熱を防止及び低減することができる。
【図面の簡単な説明】
【０００９】
【図１】本発明の実施形態に係る吊戸棚の一例を模式的に示した要部概略断面図であり、丁番部材の取付構造を説明するための図である。
【図２】同吊戸棚が設けられたシステムキッチンを模式的に示す概略正面図である。
【図３】（a）及び（b）は同吊戸棚の変形例を示す要部概略断面図である。
【図４】本発明の他の実施形態に係る吊戸棚の一例を模式的に示した要部概略断面図であり、丁番部材の取付構造を説明するための図である。
【図５】本発明のさらに他の実施形態に係る吊戸棚の一例を模式的に示した要部概略断面図であり、丁番部材の取付構造を説明するための図である。
【発明を実施するための形態】
【００１０】
以下に本発明の実施の形態について、図面に基づいて説明する。
なお、以下の実施形態では、吊戸棚を壁面に設置した状態を基準として上下方向等の方向を説明する。
本実施形態に係る吊戸棚１は、前面開口とされた箱型の戸棚本体２と、前面を閉塞する扉体３,３とを備えレンジフード１１に隣接して設置される吊戸棚である。戸棚本体２のレンジフード隣接側の側板２２は、木質材料からなる板体２０と、板体２０の外面２０ｂ側に積層して設けられる不燃材料からなる不燃板２１とよりなり、扉体３は、板体３０の内面２０ｃ側に固定具６で取り付けられた丁番部材５によって開閉自在とされている。
不燃板２１には、板体２０を貫通する固定具６の端部が納まるように形成された凹所２１ａが設けられている。
以下、詳しく説明する。
【００１１】
図２は、本実施形態に係る吊戸棚１がシステムキッチン１０のウォールキャビネットとして適用された例を示した概略正面図である。図２に示すようにシステムキッチン１０は、吊戸棚１と、床に設置されるフロアキャビネット１２と、フロアキャビネット１２に組み込まれた加熱調理器１３の上方に設置されたレンジフード１１とを備えている。
フロアキャビネット１２は、加熱調理器１３と、シンク１４と、水栓１５とを有しており、シンク１４前の扉体は、吊戸棚１と同様に両開き構造とされ、使い勝手がよく、収納部の開口を大きく確保できる構造となっている。
レンジフード１１は、排煙や熱を室外に排出する換気機能を有し、加熱調理器１３を覆うように設けられる。加熱調理器１３としては、特に限定されないが、例えばガス熱源、電気熱源等のコンロが用いられる。
【００１２】
吊戸棚１は、レンジフード１１に隣接して設けられ、戸棚本体２と扉体３，３とを備えている。
戸棚本体２は、前面開口とされた箱型で構成され、左右に配された側板２２，２３と、底板２４と，天板２５と，背板（不図示）とを備えている。
戸棚本体２の前面開口は、２枚の扉体３，３で塞がれており、扉体３，３の前面下方には、扉体３，３を開閉するための取っ手４，４が扉体３，３のそれぞれに設けられている。このように吊戸棚１をフロアキャビネット１２の両開き部分と縦方向に並べて設置すれば、システムキッチン１０としての統一感を持たせることができる上、収納部の開口を大きく確保できるので、使い勝手がよく収納物の出し入れがしやすい。
左右に配された２枚の側板２２，２３のうち、レンジフード隣接側の側板２２（図２の例では向かって左側の側板）は、板体２０と、不燃板２１とよりなる。板体２０の内面２０ｃには丁番部材５が取り付けられ、板体２０の外面２０ｂ側には不燃板２１が設けられる。
【００１３】
図１を参照しながらさらに詳しく説明する。図１は、側板２２に取り付けられる丁番部材５の取付構造を説明するための要部概略断面図である。
丁番部材５を側板２２に取り付ける固定具６は、取付ねじ６０（ボルト）とナット部材６１とよりなる。取付ねじ６０は、雄ねじが形成された軸部６０ａと、ねじ頭６０ｂとを有している。
図１のナット部材６１は、鬼目ナット（登録商標）と称されるナット部６１ａと、ナット部６１ａを不燃板２１に強固に固定するためのアンカー部６１ｂとを有している。
ナット部６１ａは中空の円筒体からなるいわゆるインサートナットであり、ナット部６１ａの内面側は取付ねじ６０と螺合する雌ねじが形成されている。
アンカー部６１ｂはナット部６１ａと一体とされ、円形で鍔状のアンカー板６１ｂｂと、不燃板２１に打ち込まれるくさび爪６１ｂａとを有している。このくさび爪６１ｂａによってナット部材６１は不燃板２１に強固に取り付けられ、取付ねじ６０がナット部６１ａに螺装されても、共まわりすることを防止できる。
なお、ナット部材６１は、図例のように打ち込み式の他、ねじ込み式であってもよい。
【００１４】
レンジフード隣接側の側板２２は、上述したように板体２０と不燃板２１との２枚重ねで構成されている。
略矩形平板状の板体２０は、木質材料からなるものであればよく、例えばインシュレーションボードやＭＤＦ（中密度繊維板）等の木質繊維板、合板やＬＶＬ（単板積層材）等の木質積層板、パーティクルボード等の木質ボード等とすることができる。板体２０には予め取付ねじ６０が挿通される挿通孔２０ａが形成されている。
板体２０の厚みｔ１は特に限定されないが、例えば６ｍｍ〜８ｍｍとすることができ、この場合、レンジフード１１と隣接しない側の側板２３の厚みｔ２と同じにすることができる。
よって板体２０と側板２３とは同形同大とすることができるので、部材の共通化を図ることができる。
【００１５】
板体２０と略同形同大とされる不燃板２１は、消防法に即した特定不燃材料であればよく、例えば繊維混入珪酸カルシウム板、ロックウール等とすることができる。不燃板２１の厚みは９ｍｍ以上であれば特に限定されない。
不燃板２１の外面側、すなわちレンジフード１１と隣接する側には凹所２１ａが設けられている。凹所２１ａの形状、深さ、形成位置は特に限定されないが、要は丁番部材５の固定具６が挿通される場所に対応する位置に形成され、図１に示す場合はアンカー板６１ｂｂがおさまり、且つ突出しない形状、深さとされる。また例えば凹所２１ａの平面視における形状は、方形状であってもよいし円形状であってもよい。不燃板２１の所定位置、すなわち挿通孔２０ａの形成位置に対応する位置にはナット部材６１が凹所２１ａ側から不燃板２１を貫いて埋め込まれている。ここで凹所２１ａは、可能なかぎり深く形成すれば、固定具６の端部とレンジフード１１との距離を空けることができる。しかし、凹所２１ａをあまりに深く形成すると、ナット部材６１を不燃板２１に埋め込むことができなくなるので、ナット部６１ａをおさめる領域を確保した上で凹所２１ａを形成する必要がある。
【００１６】
丁番部材５の構造は、特に限定されず、扉体３を開閉自在にできるものであればよい。
図１に示す丁番部材５は吊元となる側板２２側に固定される台座部５０を有しており、台座部５０には、取付ねじ６０が挿通され、ねじ頭６０ｂを受けるねじ受け部５１が形成されている。
【００１７】
以上によれば、以下のとおり丁番部材５を側板２２に強固に取り付けることができる。
まず板体２０に形成された挿通孔２０ａの形成位置に合わせて丁番部材５の取付位置を位置決めする。板体２０の内面２０ｃ側から、すなわちねじ受け部５１からナット部材６１に向けて取付ねじ６０を挿入する。そして取付ねじ６０をナット部材６１のナット部６１ａに螺合していけば、丁番部材５、板体２０及び不燃板２１を固定具６によって強固に締結することができる（共締め）。
このように固定具６によって共締めすることにより、丁番部材５をしっかりと保持することができ、丁番部材５の固定強度が向上する。また以上によれば、固定具６によって丁番部材５、板体２０及び不燃板２１を締結し一体化するため、板体２０の厚みを従来のように１０ｍｍ以上の厚みを持たせなくても丁番部材５を強固に保持できる。
また固定具６の端部、図１の例の場合はナット部材６１のアンカー板６１ｂｂが凹所２１ａ内に納まり、不燃板２１の外面よりも没した位置にあるので、レンジフード１１に触れることがなく、レンジフード１１から側板２２に対する伝熱を防止及び低減することができる。
【００１８】
図３の（ａ）及び（ｂ）は同吊戸棚の変形例を示す要部概略断面図である。
まず図３（ａ）の例は図１の例と比べて、凹所２１ａ内に断熱性を有したカバー部材７を埋設した点が異なるものである。
よってカバー部材７の形状、厚みは凹所２１ａの形状、厚みに合わせて形成されている。カバー部材７の材質は断熱性を有したものであればよく、例えば、グラスウール、ロックウール等の繊維系断熱材やポリスチレンフォーム、フェノールフォーム等の発泡系断熱材などを用いることができる。
図３（ｂ）は図３（ａ）の変形例とみることができる。図３（ｂ）の例は、凹所２１ａを固定具６の端部をおさめる位置だけでなく、広範囲に、具体的には隣合って設けられるアンカー部６１ｂ，６１ｂに跨るように縦長に形成されている。
以上のように、凹所２１ａをその形状に合わせたカバー部材７で覆えば、カバー部材７がない場合と比べて、より一層、レンジフード１１から側板２２に対する伝熱を防止、低減することができ、側板２２の凹みを埋めて表面を面一とすることができる。
【００１９】
続いて図４には、他の実施形態に係る吊戸棚の一例を示している。
なお、以下の例では、上記した例との相違点について主に説明し、同様の構成については、同一符号を付し、その説明を省略または簡略に説明する。
この実施形態の吊戸棚１は固定具６の構成が図１、図３で示したものと異なる。また固定具６の違いで凹所２１ａの深さ寸法及び不燃板２１に挿通孔２１ｂが形成されている点が異なる例である。
具体的には、ここで用いられる固定具６は、取付ねじ６０（ボルト）とナット部材６１（六角ナット）とよりなる点では上述の例と共通するが、ナット部材６１がインサートナットでない点で異なる。凹所２１ａの形状、幅寸法及び深さ寸法等は、このナット部材６１の形状、高さ寸法に応じて形成され、特に凹所２１ａの深さ寸法については、ナット部材６１が不燃板２１の外面から突出しないように形成される。
板体２０には予め取付ねじ６０が挿通される挿通孔２０ａが形成されており、不燃板２１には予め取付ねじ６０が挿通される挿通孔２１ｂが形成されている。
またこの実施形態においても、凹所２１ａのナット部材６１を覆うように上述の断熱性を有したカバー部材７を埋設するようにしてもよいことは言うまでもない。
【００２０】
以上によっても、以下のとおり丁番部材５を側板２２に強固に取り付けることができる。
まず板体２０に形成された挿通孔２０ａの形成位置に合わせて丁番部材５の取付位置を位置決めする。板体２０の内面２０ｃ側から、すなわちねじ受け部５１からナット部材６１に向けて取付ねじ６０を挿入し、取付ねじ６０を挿通孔２１ｂに挿通させる。そして不燃板２１側からナット部材６１を取付ねじ６０の軸部６０ａに螺入していけば、丁番部材５、板体２０及び不燃板２１を固定具６によって強固に締結することができる（共締め）。
このように固定具６によって共締めすることにより、丁番部材５をしっかりと保持することができ、丁番部材５の固定強度が向上する。
また固定具６の端部、図４の例の場合はナット部材６１が凹所２１ａ内に納まり、不燃板２１の外面よりも没した位置にあるので、レンジフード１１に触れることがなく、レンジフード１１から側板２２に対する伝熱を防止及び低減することができる。
【００２１】
図５には、さらに他の実施形態に係る吊戸棚の一例を示している。
なお、以下の例では、上記した例との相違点について主に説明し、同様の構成については、同一符号を付し、その説明を省略または簡略に説明する。
この実施形態の吊戸棚１は固定具６の構成が図１、図３、図４で示したものと異なり、固定具６の違いにより凹所２１ａの深さ寸法が異なる例である。なお、不燃板２１に挿通孔２１ｂが形成されている点は図４の例と共通している。
具体的には、ここで用いられる固定具６は、丁番部材５に形成された雄ねじ部５２に螺合される取付ねじ６０が用いられる。凹所２１ａの形状、幅寸法及び深さ寸法等は、この取付ねじ６０のねじ頭６０ｂの形状、高さ寸法に応じて形成され、特に凹所２１ａの深さ寸法については、ナット部材６１が不燃板２１の外面から突出しないように形成される。
丁番部材５の台座部５０には取付ねじ６０の軸部６０ａが螺入されるように雄ねじが形成された雄ねじ部５２が設けられている。
板体２０には予め取付ねじ６０が挿通される挿通孔２０ａが形成されており、不燃板２１には予め取付ねじ６０が挿通される挿通孔２１ｂが形成されている。
またこの実施形態においても、凹所２１ａの取付ねじ６０のねじ頭６０ｂを覆うように上述の断熱性を有したカバー部材７を埋設するようにしてもよいことは言うまでもない。
【００２２】
以上によっても、以下のとおり丁番部材５を側板２２に強固に取り付けることができる。
まず板体２０に形成された挿通孔２０ａの形成位置に合わせて丁番部材５の取付位置を位置決めする。取付ねじ６０を不燃板２１の凹所２１ａ側から挿通孔２１ｂ，２０ａを通じて雄ねじ部５２に向けて挿通する。そして取付ねじ６０の軸部６０ａに雄ねじ部５２に螺合していけば、丁番部材５、板体２０及び不燃板２１を固定具６によって強固に締結することができる（共締め）。
このように固定具６によって共締めすることにより、丁番部材５をしっかりと保持することができ、丁番部材５の固定強度が向上する。
また固定具６の端部、図５の例の場合は取付ねじ６０のねじ頭６０ｂが凹所２１ａ内に納まり、不燃板２１の外面よりも没した位置にあるので、レンジフード１１に触れることがなく、レンジフード１１から側板２２に対する伝熱を防止及び低減することができる。
【００２３】
なお、吊戸棚１の構成、形状等は図例に限定されるものではない。例えば扉体３は両開き構造でなくとも、レンジフード隣接側の側板に扉体３が設置される片開き構造であってもよい。また丁番部材５は扉体の大きさに応じて設けられるものであって、図例のように一枚の扉体３に２個の丁番部材５に限定されるものではない。固定具６も図例の構造に限定されるものではなく、丁番部材５、板体２０及び不燃板２１を強固に一体に締結することができる固定具であればよい。ナット部材６１も図例に限定されず、例えばインサートナットの場合、ナット部６１ａの外面側に不燃板２１に取り付けられた後、ぬけでないように逆目状（スクリュー状）の突爪が複数形成されたものであってもよい。また図５の例においては、取付ねじ６０をワッシャー（不図示）を介在させて雄ねじ部５２と螺合するようにしてもよい。さらにフロアキャビネット１２等のシステムキッチン１０の構成、デザインも図例に限定されるものではない。
【符号の説明】
【００２４】
１                      吊戸棚
２                      戸棚本体
２０                    板体
２０ｂ                  外面
２０ｃ                  内面
２１                    不燃板
２１ａ                  凹所
２２，２３              側板
３                      扉体
５                      丁番部材
６                      固定具
６０                    取付ねじ
６１                    ナット部材
７                      カバー部材
【図１】
2015029670.tif 000003
【図２】
2015029670.tif 000004
【図３】
2015029670.tif 000005
【図４】
2015029670.tif 000006
【図５】
2015029670.tif 000007